(57)【要約】      （修正有）【課題】充電部の形態が異なっている場合であっても広く適用し得る絶縁カバーを提供する。【解決手段】互いに組み合わされることによって１本あるいは複数本の電線Ｌの外側を覆う筒状体となる一対の半筒体１２、１４で絶縁カバー１０を構成する。そして、一方の半筒体１２の内側における中央部に、電線Ｌの充電部Ｊが当接配置されるとともに、当該充電部Ｊに押されて変形可能な充電部保持部５０を形成する。【選択図】図３
2020114037.tif 000002
【特許請求の範囲】
【請求項１】
互いに組み合わされることによって１本あるいは複数本の電線の外側を覆う筒状体となる一対の半筒体を備える絶縁カバーであって、
一方の前記半筒体の内側における中央部には、前記電線の充電部が当接配置されるとともに、前記充電部に押されて変形可能な充電部保持部が形成されている
絶縁カバー。
【請求項２】
前記充電部保持部における前記充電部が当接配置される位置には、１本の前記電線における絶縁被覆が剥がされて露出した芯線が嵌められる凹所が形成されている
請求項１に記載の絶縁カバー。
【請求項３】
前記半筒体の内側における前記半筒体の長手方向に直交する方向の外側端縁と前記充電部保持部との間には、前記電線に対して前記半筒体が前記長手方向に直交する方向に移動するのを防止する移動防止部が設けられている
請求項１または２に記載の絶縁カバー。
【請求項４】
前記半筒体の内側における前記半筒体の長手方向の端縁と前記充電部保持部との間には、前記電線に対して前記半筒体が前記長手方向に移動するのを防止する長手方向移動防止部が設けられている
請求項１から３のいずれか１項に記載の絶縁カバー。
【請求項５】
他方の前記半筒体の内側における前記半筒体の長手方向の端縁と前記充電部保持部に対応する位置との間には、前記電線に対して前記半筒体が前記長手方向に移動するのを防止する第２長手方向移動防止部が設けられている
請求項１から４のいずれか１項に記載の絶縁カバー。
【請求項６】
他方の前記半筒体の内側における前記半筒体の長手方向の端縁と前記充電部保持部に対応する位置との間には、前記電線に対して前記半筒体が前記長手方向に移動するのを防止する第２長手方向移動防止部が設けられており、
前記第２長手方向移動防止部は、前記半筒体の長手方向において、前記長手方向移動防止部よりも前記充電部保持部に近い位置で前記電線に対して作用することを特徴とする
請求項４に記載の絶縁カバー。
【発明の詳細な説明】
【技術分野】
【０００１】
本発明は、電線の中間部における芯線等が露出した箇所を覆う絶縁カバーに関する。
【背景技術】
【０００２】
例えば、架空電線等の工事にあたり、当該電線の中間部における芯線等が露出した箇所を覆う絶縁カバーが従前より開発されている。
【０００３】
１本の架空電線を２本に分岐させる工事を行う場合、一般的には圧縮スリーブを用いて分岐させる。この場合、分岐させた箇所は絶縁被覆を剥いで芯線同士を金属製の圧縮スリーブで圧接させていることから、金属部分が露出して感電や短絡による危険が発生する可能性のある「充電部」が形成される。そこで、感電事故防止のために当該充電部を覆う絶縁カバーが公開されている（例えば、特許文献１および２）。
【０００４】
また、架空電線等の分岐部分だけでなく、接地を取ったり、一時的に他の電線に接続したりするために電線等から絶縁被覆を剥ぎ取った箇所に生じた充電部を覆う別の絶縁カバーも公開されている（例えば、特許文献３）。
【先行技術文献】
【特許文献】
【０００５】
【特許文献１】特開平１１−３１８０１５号公報
【特許文献２】特開２０１０−７４９３６号公報
【特許文献３】特開２０１１−２５０５９９号公報
【発明の概要】
【発明が解決しようとする課題】
【０００６】
しかしながら、電線等の分岐部分と電線等から絶縁被覆を剥ぎ取っただけの箇所とでは、充電部の形態が互いに異なることから、従来は当該充電部の形態上の特徴に合った様々な形状の絶縁カバーを用意しなければならず、絶縁カバーの種類が必然的に増加してしまうことから、絶縁カバーの生産や管理の面等でコスト的なデメリットが大きいという問題があった。
【０００７】
本発明は、このような課題に鑑みてなされたものであり、その目的は、充電部の形態が異なる場合であっても広く適用し得る絶縁カバーを提供することにある。
【課題を解決するための手段】
【０００８】
本発明の一局面によれば、
互いに組み合わされることによって１本あるいは複数本の電線の外側を覆う筒状体となる一対の半筒体を備える絶縁カバーであって、
一方の前記半筒体の内側における中央部には、前記電線の充電部が当接配置されるとともに、前記充電部に押されて変形可能な充電部保持部が形成されている
絶縁カバーが提供される。
【０００９】
好適には、前記充電部保持部における前記充電部が当接配置される位置には、１本の前記電線における絶縁被覆が剥がされて露出した芯線が嵌められる凹所が形成されている。
【００１０】
好適には、前記半筒体の内側における前記半筒体の長手方向に直交する方向の外側端縁と前記充電部保持部との間には、前記電線に対して前記半筒体が前記長手方向に直交する方向に移動するのを防止する移動防止部が設けられている。
【００１１】
好適には、前記半筒体の内側における前記半筒体の長手方向の端縁と前記充電部保持部との間には、前記電線に対して前記半筒体が前記長手方向に移動するのを防止する長手方向移動防止部が設けられている。
【００１２】
好適には、他方の前記半筒体の内側における前記半筒体の長手方向の端縁と前記充電部保持部に対応する位置との間には、前記電線に対して前記半筒体が前記長手方向に移動するのを防止する第２長手方向移動防止部が設けられている。
【００１３】
好適には、前記第２長手方向移動防止部は、前記半筒体の長手方向において、前記長手方向移動防止部よりも前記充電部保持部に近い位置で前記電線に対して作用する。
【発明の効果】
【００１４】
本発明によれば、筒状体の内部で電線の充電部を保持する充電部保持部が当該充電部に押されて変形可能になっているので、充電部の形態が異なる場合であっても広く適用し得る絶縁カバーを提供できた。
【図面の簡単な説明】
【００１５】
【図１】本発明が適用された絶縁カバー１０の内側を示す図である。
【図２】本発明が適用された絶縁カバー１０の内側を示す斜視図である。
【図３】圧縮スリーブＡを含む電線Ｌに絶縁カバー１０を取り付ける手順を説明するための斜視図である。
【図４】圧縮スリーブＡを含む電線Ｌに絶縁カバー１０を取り付ける際の他の例を示す斜視図である。
【図５】圧縮スリーブＡを含む電線Ｌに絶縁カバー１０を取り付けた状態を示す断面図である。
【図６】より短い圧縮スリーブＡを含む電線Ｌに絶縁カバー１０を取り付けた状態を示す断面図である。
【図７】電線Ｌから絶縁被覆Ｈを剥ぎ取った箇所に絶縁カバー１０を取り付ける手順を説明するための斜視図である。
【図８】電線Ｌから絶縁被覆Ｈを剥ぎ取った箇所に絶縁カバー１０を取り付けた状態を示す断面図である。
【図９】電線Ｌから絶縁被覆Ｈを剥ぎ取った箇所に絶縁カバー１０を取り付けた状態を示す、絶縁カバー１０の長手方向に直交する方向の断面図である。
【図１０】変形例に係る充電部保持部５０を示す図である。
【発明を実施するための形態】
【００１６】
（絶縁カバー１０の構成）
図１および図２は、本発明が適用された実施形態に係る絶縁カバー１０を示す。この絶縁カバー１０は、一対の半筒体１２，１４およびヒンジ１６を備えており、これら半筒体１２，１４が互いに組み合わされることによって１本あるいは複数本の電線の外側を覆う筒状体としての絶縁カバー１０となる。両半筒体１２，１４は互いに対向する端縁（半筒体１２，１４の長手方向に直交する方向の内側端縁）がヒンジ１６によって接続され、一体的に形成されている。また、両半筒体１２，１４は、上記ヒンジ１６を中心として基本的に互いに線対称に形成されている。そこで、以下では半筒体１２の構成について詳細に説明し、半筒体１４については基本的に半筒体１２についての説明を援用して半筒体１２と異なる部分についてのみ説明する。
【００１７】
なお、本明細書全体を通して、電線の内部にある通電部材を芯線Ｓといい、当該芯線Ｓの外側を覆う絶縁部材を絶縁被覆Ｈといい、さらに、絶縁被覆Ｈによって覆われた芯線Ｓの全体を被覆電線Ｌあるいは単に電線Ｌという。また、電線Ｌにおける金属部分が露出して感電や短絡による危険が発生する可能性がある部分を充電部Ｊという。
【００１８】
半筒体１２は、大略、本体部２０と、この本体部２０の長手方向の両端部にそれぞれ形成されたシャッター部２２と、本体部２０におけるヒンジ１６が形成された長手方向に直交する方向の端部とは反対側の端部に設けられた係着部２４とを有しており、これらが一体となって半筒体１２を構成している。もちろん、本体部２０やシャッター部２２等を別体として形成し、然る後、接着等の手段で組み合わせて半筒体１２を構成してもよい。また、ヒンジ１６は、必須の構成要素ではなく、一対の半筒体１２，１４を別体として形成し、これらを嵌め合わせ等の手段で組み合わせて筒状体を形成してもよい。
【００１９】
なお、半筒体１２，１４について、長手方向に直交する方向の端縁のうち、ヒンジ１６が接続された方を上述のように「内側端縁」といい、この反対側を「外側端縁」という。
【００２０】
本体部２０は、長手方向に延びる半筒状の部材である。本実施例において、本体部２０は「角筒状」に形成されているが、もちろんこれに限定されるものではなく、「丸筒状」や「多角形筒状」に形成されてもよい。つまり、「筒状」や「半筒状」とは、「角筒」、「丸筒」、あるいは「多角形筒」その他すべてを含む概念である。
【００２１】
この本体部２０には、充電部保持部５０、移動防止部５２、長手方向移動防止部５４、および、凹み部５６が形成されている。
【００２２】
充電部保持部５０は、半筒体１２の本体部２０における内側の中央部に形成されており、電線Ｌの充電部Ｊが当接配置されるとともに、当該充電部Ｊに押されて変形できるようになっている。
【００２３】
本実施形態における充電部保持部５０は、図示するように、帯状の部材の両端が半筒体１２の中央部に接続され、電線Ｌの充電部Ｊが当接配置される位置である中央部に凹所５８を形成することによって断面形状が略「Ｍ」字状となっている。なお、当該凹所５８の幅（つまり、充電部保持部５０の幅）は、１本の電線Ｌにおける絶縁被覆Ｈが剥がされて芯線Ｓが露出した充電部Ｊの幅よりも少しだけ短く形成するのが好適である。
【００２４】
移動防止部５２は、半筒体１２の内側における外側端縁と充電部保持部５０との間に突設形成された略三角形状の平板状部である。具体的には、充電部保持部５０に向かう、略三角形状を構成する１つの辺が、半筒体１２の内側の面に対して略垂直となるように延びている。
【００２５】
本実施形態における半筒体１２には、このような移動防止部５２が長手方向に所定の間隔で３つ配設されている。これにより、一対の半筒体１２，１４の間で保持した電線Ｌに対して、半筒体１２，１４（絶縁カバー１０）が当該半筒体１２，１４（絶縁カバー１０）の長手方向に直交する方向に向けて不所望に移動するのを防止できる。もちろん、移動防止部５２の形状・個数・配設間隔等は、電線Ｌに対して、半筒体１２，１４（絶縁カバー１０）がその長手方向に直交する方向に向けて不所望に移動するのを防止できれば、本実施形態のものに限定されない。
【００２６】
長手方向移動防止部５４は、半筒体１２の内側における当該半筒体１２の長手方向の端縁と充電部保持部５０との間に突設形成された略三角形状の平板状部である。具体的には、充電部保持部５０に向かう、略三角形状を構成する１つの辺が、半筒体１２の内側の面に対して略垂直となるように延びている。
【００２７】
本実施形態における半筒体１２には、長手方向移動防止部５４が当該半筒体１２における一方の長手方向端縁と充電部保持部５０との間において長手方向に直交する方向に所定の間隔で４つ配設されており、また、他方の長手方向端縁と充電部保持部５０との間において同様に長手方向に直交する方向に所定の間隔で４つ配設されている。これにより、一対の半筒体１２，１４の間で保持した電線Ｌに対して、半筒体１２，１４（絶縁カバー１０）が当該半筒体１２，１４（絶縁カバー１０）の長手方向に向けて不所望に移動するのを防止できる。もちろん、長手方向移動防止部５４の形状・個数・配設間隔等は、電線Ｌに対して、半筒体１２，１４（絶縁カバー１０）がその長手方向に向けて不所望に移動するのを防止できれば、本実施形態のものに限定されない。
【００２８】
凹み部５６は、半筒体１２の曲げ・ねじり応力等に対する強度を増すことを目的として、本実施形態では半筒体１２の内側において大小４箇所形成されている。具体的には、比較的幅の狭い一対の凹み部５６が、充電部保持部５０と各長手方向移動防止部５４との間にそれぞれ配設されている。また、比較的幅の広い一対の凹み部５６が、各長手方向移動防止部５４と半筒体１２の本体部２０の長手方向両端との間にそれぞれ配設されている。
【００２９】
シャッター部２２は、外部からの雨水や虫やゴミ等が半筒体１２，１４の長手方向両端から絶縁カバー１０の内部に浸入し難くするための部分であり、半筒体１２の内面から突設された短冊状の雨水浸入防止用舌片６０を複数備えている。
【００３０】
また、シャッター部２２の外側端部は、半筒体１２，１４の長手方向の外側に向かうに従って当該半筒体１２，１４の外側から内側に向けて傾斜する傾斜面６２が形成されている。これにより、半筒体１２に形成された傾斜面６２と、半筒体１４に形成されてこれに対向する傾斜面６２とによって、絶縁カバー１０の長手方向端の開口面積が狭められるようになり、上述した雨水浸入防止用舌片６０の存在との相乗効果で、絶縁カバー１０の内部に外部からの雨水や虫やゴミ等がより浸入し難くなる。なお、本実施形態に係る傾斜面６２は、短冊状の小型板材を複数組み合わせて構成されている。
【００３１】
係着部２４は、本実施形態の場合、半筒体１２，１４の外側端縁に形成された帯状平面６３と、半筒体１２の帯状平面６３に設けられた３つの係着具（雌）６４と、半筒体１４の帯状平面６３における対応する位置に設けられた３つの係着具（雄）６６とで構成されている。これにより、ヒンジ１６を中心として一対の半筒体１２，１４を互いに組み合わせたとき、各係着具（雌）６４とこれに対応する係着具（雄）６６とが互いに係合することにより、半筒体１２，１４が組み合わされた状態を保持することができる。
【００３２】
もちろん、係着部２４、とりわけ係着具６４，６６は、本実施形態のものに限定されるものではなく、一対の半筒体１２，１４を互いに組み合わせた状態を保持できればどのようなものであってもよい。
【００３３】
次に、他方の半筒体１４について説明する。他方の半筒体１４も、本体部２０と、シャッター部２２と、係着部２４とを有している。
【００３４】
また、他方の半筒体１４における本体部２０には、移動防止部５２、長手方向移動防止部５４、凹み部５６、および、第２長手方向移動防止部７０が形成されている。
【００３５】
半筒体１４における移動防止部５２は、基本的に、上述した半筒体１２における移動防止部５２と同様であるが、この半筒体１２における移動防止部５２と干渉しないように、半筒体１４における各移動防止部５２は、それぞれ、半筒体１２における各移動防止部５２同士の間に嵌まる位置に形成されている。
【００３６】
長手方向移動防止部５４の高さは対向する長手方向移動防止部５４と干渉しないように低く抑えられていることから、半筒体１４における長手方向移動防止部５４は、半筒体１２における長手方向移動防止部５４に対応する位置に形成されている。もちろん、これに変えて、移動防止部５２と同様に、半筒体１２における各長手方向移動防止部５４同士の間に嵌まる位置に形成してもよい。
【００３７】
半筒体１４における凹み部５６も、基本的に、半筒体１２における凹み部５６と同様であるが、半筒体１４には充電部保持部５０が形成されないことから、本実施形態の半筒体１４の凹み部５６は、半筒体１４の中央部と、これを中心として長手方向の両側にそれぞれ形成されたものとの３つで構成されている。
【００３８】
第２長手方向移動防止部７０は、本実施形態において、半筒体１４にのみ形成された部分である。この第２長手方向移動防止部７０は一対の長方形状平板７２で構成されており、各長方形状平板７２の一辺は半筒体１４における本体部２０の内面であって、長手方向移動防止部５４よりも中央寄りに取り付けられている。そして、本体部２０の内面に取り付けられた一辺に対向する対向辺７４は、当該一辺よりもさらに中央寄りに位置しており、かつ、当該一辺を中心として本体部２０に対して回動自在となっている。
【００３９】
ヒンジ１６は、上述のように両半筒体１２，１４の内側端縁に取り付けられた部材であり、長手方向両端部にヒンジシャッター部８０を有しているとともに、長手方向両端に仮留部８２を有しており、さらに、内面の中央部に第２移動防止部８４を有している。
【００４０】
ヒンジシャッター部８０は、半筒体１２，１４に設けられている雨水浸入防止用舌片６０と同様の雨水浸入防止用舌片８６と、仕切部８８とを有している。
【００４１】
雨水浸入防止用舌片８６は、半筒体１２，１４に設けられている雨水浸入防止用舌片６０に比べて長さがやや短く形成されている以外は同じであることから、当該雨水浸入防止用舌片６０の説明を援用する。
【００４２】
仕切部８８は、ヒンジ１６の長手方向両端縁の内面から略垂直方向に立設された板状材であり、両半筒体１２，１４を組み合わせて絶縁カバー１０を構成した際に、当該絶縁カバー１０の両端開口における上端部を塞ぐようになっている。
【００４３】
仮留部８２は、後述するように、半筒体１２，１４を互いに組み合わせて絶縁カバー１０を構成し、当該絶縁カバー１０で電線Ｌの充電部Ｊをカバーする作業を容易にするため、半筒体１２を半筒体１４に近づけた状態で仮留めするための部分である。この仮留部８２は、一対の仮留部（雌）９０と仮留部（雄）９２とで構成されている。
【００４４】
仮留部（雌）９０は、ヒンジ１６の長手方向両端における半筒体１４との境目付近からそれぞれ突設された短冊状の部分であり、その先端部に仮留部（雄）９２が嵌め込まれる嵌挿孔９４が形成されている。
【００４５】
仮留部（雄）９２は、ヒンジ１６の長手方向両端における半筒体１２との境目付近からそれぞれ突設された短い四角柱状の部分であり、上述のようにその先端部が仮留部（雌）９０の嵌挿孔９４に嵌め込まれるようになっている。
【００４６】
第２移動防止部８４は、ヒンジ１６の内面の中央部において長手方向に互いに所定の間隔で突設された複数の突設部９６を有している。電線Ｌに対して絶縁カバー１０が移動して、相対的に、絶縁カバー１０内の電線Ｌや充電部Ｊがヒンジ１６に不所望に近づきすぎたとき、これら突設部９６の先端が電線Ｌや充電部Ｊに当接してヒンジ１６にそれ以上近づくのを防止することができる。
【００４７】
（絶縁カバー１０の使用手順）
次に、上述した本実施形態に係る絶縁カバー１０を電線Ｌの充電部Ｊに取り付ける手順について簡単に説明する。なお、絶縁カバー１０を取り付ける充電部Ｊとして、（１）１本の電線Ｌを２本にさせる圧縮スリーブＡと、（２）１本の電線Ｌから絶縁被覆Ｈを剥ぎ取った箇所といった２つのケースについて説明する。
【００４８】
（ケース１：圧縮スリーブＡ）
図３に示すように、充電部Ｊである圧縮スリーブＡが充電部保持部５０に当接するようにして、半筒体１２を当該半筒体１２の長手方向に沿って電線Ｌに配置する。このとき、圧縮スリーブＡは、充電部保持部５０に形成された凹所５８に比べて大きく、圧縮スリーブＡを単に充電部保持部５０に当接するように載置しただけでは半筒体１４を半筒体１２に組み合わせる（被せる）のが困難であることから、図示するように充電部保持部５０における移動防止部５２に近い側の半分が押圧変形される。
【００４９】
このように充電部保持部５０における移動防止部５２に近い側の半分が押圧変形することにより、移動防止部５２と、充電部保持部５０における当該移動防止部５２から遠い側の半分とで圧縮スリーブＡを挟持することができ、電線Ｌや圧縮スリーブＡに対して絶縁カバー１０が半筒体１２の長手方向に直交する方向に不所望に移動するのを防止できる。
【００５０】
もちろん、図４に示すように、充電部保持部５０における移動防止部５２に遠い側の半分を押圧変形するように圧縮スリーブＡを配置してもよい。この場合、圧縮スリーブＡや電線Ｌは、半筒体１２，１４の内側端縁に近づくことになるが、こちら側はヒンジ１６が存在することから絶縁カバー１０が圧縮スリーブＡから外れてしまう可能性は低く、特に問題がない。逆に、圧縮スリーブＡが半筒体１２，１４の外側端縁に向けて相対的に移動しようとしても、充電部保持部５０における移動防止部５２から近い側の半分、および、移動防止部５２が、圧縮スリーブＡが外側端縁に向けて相対的に移動するのを阻害することから、絶縁カバー１０が圧縮スリーブＡから外れてしまう可能性をより低減できる。
【００５１】
図３に戻り、絶縁カバー１０を圧縮スリーブＡおよび電線Ｌの所定の位置に配置した後、ヒンジ１６で折り返した半筒体１４を半筒体１２に組み合わせて、両半筒体１２，１４に設けられた係着部２４を用いて互いに組み合わせた状態を保持する。これにより、電線Ｌの充電部Ｊに対する絶縁カバー１０の取り付けが完了する。
【００５２】
実際、絶縁カバー１０が取り付けられる電線Ｌは架空されていることがほとんどであり、作業者が工具を用いることによって絶縁カバー１０を高所にある充電部Ｊに取り付けることになる。このため、仮留部８２を用いて予め両半筒体１２，１４を互いに近づけた状態で保持しておき、然る後、工具を用いて絶縁カバー１０を高所に上げて充電部Ｊを挟み込むようにして係着部２４で両半筒体１２，１４を組み合わせるのが好適である。
【００５３】
なお、圧縮スリーブＡへの絶縁カバー１０の取り付けが完了した状態において、図５に示すように、当該圧縮スリーブＡは、半筒体１２，１４に設けられた一対の長手方向移動防止部５４同士の間に配置されている。これにより、絶縁カバー１０が圧縮スリーブＡや電線Ｌに対して当該絶縁カバー１０の長手方向に移動しようとしても、当該長手方向移動防止部５４が圧縮スリーブＡに当たってそれ以上移動することを防止できる。
【００５４】
また、他方の半筒体１４に設けられた第２長手方向移動防止部７０における長方形状平板７２の対向辺７４同士の間隔よりも圧縮スリーブＡの長さの方が長い場合、長方形状平板７２は、図示するように、圧縮スリーブＡの表面に押されて半筒体１４の内面に沿う位置まで回動する。
【００５５】
図５に示す場合に比べて圧縮スリーブＡの長さが短い場合は、図６に示すように、当該圧縮スリーブＡが、長手方向移動防止部５４よりもさらに中央部寄りに配置されている第２長手方向移動防止部７０における長方形状平板７２の対向辺７４同士の間に嵌まることになる。これにより、絶縁カバー１０の長手方向における圧縮スリーブＡの相対的な移動可能範囲が対向辺７４同士の間隔となることからより狭くすることができ、絶縁カバー１０が電線Ｌに対して不所望に移動する範囲をより限定することができる。
【００５６】
（ケース２：１本の電線Ｌから絶縁被覆Ｈを剥ぎ取った箇所）
図７に示すように、電線Ｌから絶縁被覆Ｈを剥ぎ取った箇所（充電部Ｊ）が充電部保持部５０に当接するようにして、半筒体１２を当該半筒体１２の長手方向に沿って電線Ｌに配置する。特に、絶縁被覆Ｈが剥ぎ取られることによって芯線Ｓが露出した部分（＝充電部Ｊ）に充電部保持部５０の凹所５８が嵌まるように位置決めする。
【００５７】
これにより、電線Ｌに対して絶縁カバー１０が移動したとき、絶縁被覆Ｈの端に充電部保持部５０の幅方向端が当たるので、電線Ｌに対して絶縁カバー１０がその長手方向に不所望に移動するのを防止できる。
【００５８】
また、電線Ｌに対して絶縁カバー１０がその長手方向に直交する方向に移動する場合であっても、電線Ｌの芯線Ｓが充電部保持部５０の凹所５８に嵌まっているので、絶縁カバー１０の長手方向に直交する方向についても、電線Ｌに対して絶縁カバー１０が不所望に移動するのを防止できる。
【００５９】
電線Ｌに対して半筒体１２を所定の位置に配置した後、ヒンジ１６で折り返した半筒体１４を半筒体１２に組み合わせて、両半筒体１２，１４に設けられた係着部２４を用いて互いに組み合わせた状態を保持する。これにより、充電部Ｊに対する絶縁カバー１０の取り付けが完了する。
【００６０】
なお、仮留部８２を用いることについては上述したケース１で述べた内容と同じであるから、ケース１での説明を援用する。
【００６１】
電線Ｌへの絶縁カバー１０の取り付けが完了した状態において、図８および図９に示すように、絶縁被覆Ｈが剥ぎ取られることによって芯線Ｓが露出した部分に充電部保持部５０の凹所５８が嵌まっており、さらに、半筒体１４に設けられた第２長手方向移動防止部７０における長方形状平板７２の対向辺７４が電線Ｌの表面を充電部保持部５０に向けて押圧することから、芯線Ｓが露出した部分から充電部保持部５０の凹所５８が外れる可能性が低減される。
【００６２】
（絶縁カバー１０の特徴）
上述した本実施形態に係る絶縁カバー１０によれば、半筒体１２，１４の内部で電線Ｌの充電部Ｊを保持する充電部保持部５０が当該充電部Ｊに押されて変形可能になっているので、充電部Ｊの形態が異なる場合であっても広く適用し得る絶縁カバー１０を提供できる。
【００６３】
また、充電部保持部５０における充電部Ｊが当接配置される位置には、１本の電線Ｌにおける絶縁被覆Ｈが剥がされて露出した芯線Ｓが嵌められる凹所５８が形成されているので、電線Ｌの芯線Ｓが充電部保持部５０の凹所５８に嵌まり、電線Ｌに対して絶縁カバー１０がその長手方向や、当該長手方向に直交する方向に不所望に移動するのを防止できる。
【００６４】
さらに、半筒体１２，１４の内側における半筒体１２，１４の長手方向に直交する方向の外側端縁と充電部保持部５０との間に移動防止部５２が設けられているので、電線Ｌに対して半筒体１２，１４がその長手方向に直交する方向に移動するのを防止できる。
【００６５】
また、半筒体１２，１４の内側における半筒体１２，１４の長手方向の端縁と充電部保持部５０との間に長手方向移動防止部５４が設けられているので、電線Ｌに対して半筒体１２，１４がその長手方向に移動するのを防止できる。
【００６６】
また、他方の半筒体１４の内側における半筒体１２の長手方向の端縁と充電部保持部５０に対応する位置との間に第２長手方向移動防止部７０が設けられているので、電線Ｌに対して半筒体１４がその長手方向に移動するのを防止できる。
【００６７】
また、第２長手方向移動防止部７０を、半筒体１２，１４の長手方向において、長手方向移動防止部５４よりも充電部保持部５０に近い位置で電線に対して作用させるようにすることで、圧縮スリーブＡの長さが短い場合でも、絶縁カバー１０の長手方向における圧縮スリーブＡの移動可能範囲をより狭くすることができ、電線Ｌに対して絶縁カバー１０が不所望に移動する範囲をより限定することができる。
【００６８】
（変形例１）
上述した実施形態では、充電部保持部５０は、帯状の部材の両端が半筒体１２の中央部に接続され、電線Ｌが当接配置される位置である中央部に凹所５８を形成することによって断面形状が略「Ｍ」字状に形成されていた。しかしながら、充電部保持部５０の形状はこれに限定されるものではなく、例えば、図１０（a）に示すように、帯状の部材の両端を半筒体１２の内面に接続し、凹所５８の無い台形状に形成してもよい。また、図１０（ｂ）に示すように、帯状の部材の一方端のみを半筒体１２の内面に取り付けるようにしてもよい。さらに、充電部保持部５０が変形しやすいように、図１０（ｃ）に示すように、充電部保持部５０の脚部１００に屈曲部１０２を設けてもよい。さらには、図１０（ｄ）に示すように、充電部保持部５０を、帯状の部材を曲げて構成するのではなく、柔軟性のある中実素材で形成してもよい。
【００６９】
（変形例２）
上述した実施形態では、移動防止部５２が両半筒体１２，１４に形成されているが、当該移動防止部５２は、少なくともいずれかの半筒体１２，１４に形成されていればよい。
【００７０】
（変形例３）
上述した実施形態では、長手方向移動防止部５４が両半筒体１２，１４に形成されているが、当該長手方向移動防止部５４は、少なくともいずれかの半筒体１２，１４に形成されていればよい。
【００７１】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００７２】
１０…絶縁カバー、１２…（一方の）半筒体、１４…（他方の）半筒体、１６…ヒンジ
２０…本体部、２２…シャッター部、２４…係着部
５０…充電部保持部、５２…移動防止部、５４…長手方向移動防止部、５６…凹み部、５８…凹所
６０…雨水浸入防止用舌片、６２…傾斜面、６３…帯状平面、６４…係着具（雌）、６６…係着具（雄）、７０…第２長手方向移動防止部、７２…長方形状平板、７４…対向辺
８０…ヒンジシャッター部、８２…仮留部、８４…第２移動防止部、８６…雨水浸入防止用舌片、８８…仕切部、９０…仮留部（雌）、９２…仮留部（雄）、９４…嵌挿孔、９６…突設部
１００…（充電部保持部５０の）脚部、１０２…屈曲部
Ｌ…被覆電線（あるいは「電線」）、Ｓ…芯線、Ｈ…絶縁被覆、Ｊ…充電部、Ａ…圧縮スリーブ
【図１】
2020114037.tif 000003
【図２】
2020114037.tif 000004
【図３】
2020114037.tif 000005
【図４】
2020114037.tif 000006
【図５】
2020114037.tif 000007
【図６】
2020114037.tif 000008
【図７】
2020114037.tif 000009
【図８】
2020114037.tif 000010
【図９】
2020114037.tif 000011
【図１０】
2020114037.tif 000012